(57)【要約】【課題】ディスプレイ回転機能を生かして、不特定多数の人が特定の場面を視聴することができる液晶テレビジョン受信機の提供を目的とする。【解決手段】本液晶テレビジョン受信機１０は、アンテナ２０が受信したテレビジョン放送信号を受信して画像を表示する。また、本液晶テレビジョン受信機１０はモーター機構１６を備え、液晶テレビジョン本体部１０ａを回転させる。さらに、本液晶テレビジョン受信機１０は、制御部を中心として消音機能等の制御を実行するとともに、ディスプレイ回転プログラム１００により、入力音声がしきい値以上である場合に消音機能を解除し、モーター機構１６に液晶テレビジョン本体部１０ａを回転させる。【選択図】図１
2008258748.tif 000002
【特許請求の範囲】
【請求項１】
テレビジョン放送信号を検波するチューナー部と、検波したテレビジョン放送信号から映像信号と音声信号とを取り出すデコーダ部と、前記映像信号に基づいて映像を表示するディスプレイと、前記音声信号に基づいて音声を出力する音声出力部と、動作を制御するマイコンとを有する液晶テレビジョン本体部と、
該液晶テレビジョン本体部を支持するスタンドと、
前記液晶テレビジョン本体部を回転駆動可能なモーター機構とを備える液晶テレビジョンにおいて、
前記モーター機構は、前記スタンドに対して前記液晶テレビジョン本体部を所定の回転範囲内で水平方向へ回転駆動し、
前記マイコンは、前記音声信号に基づいて前記テレビジョン放送信号からの入力音声の音量に対応した音量値を取得し、該音量値が所定のしきい値未満の場合、前記音声出力部に対して音声出力を停止させた状態にさせるとともに前記モーター機構に対して前記ディスプレイの回転駆動を停止させた状態にさせる制御を行い、前記音量値が前記しきい値以上の場合、前記音声出力部に対して音声を出力させるとともに前記モーター機構に対して前記ディスプレイを前記回転範囲内で水平方向へ回転駆動させる制御を行うことを特徴とする液晶テレビジョン。
【請求項２】
放送信号を入力して映像をディスプレイに表示し音声を出力するとともに、前記ディスプレイを回転可能なテレビジョン受信機において、
前記音声に含まれる音声の強さを検出する音声強度検出手段と、
検出した音声の強さが所定の強さ以上であるときに前記ディスプレイを回転駆動する回転駆動手段とを備えることを特徴とするテレビジョン受信機。
【請求項３】
更に、特定のチャンネルの登録を受付けるとともに、該登録されたチャネルが選局された場合に、前記回転駆動手段に前記ディスプレイを回転駆動させる回転駆動命令手段を有することを特徴とする請求項２に記載のテレビジョン受信機。
【請求項４】
本テレビジョン受信機は前記音声を消音する消音機能を備え、
更に、検出された音声の強さが所定の強さ以上であるときに、前記消音機能を解除する消音機能解除手段を有することを特徴とする請求項２または請求項３に記載のテレビジョン受信機。
【請求項５】
更に、周囲の音声の強さを検出する視聴音声検出手段を備え、
前記回転駆動命令手段は、前記視聴音声検出手段が検出した周囲の音声の強さが所定の強さ以上である場合に、前記回転駆動手段にディスプレイの回転駆動を命令することを特徴とする請求項２から請求項４のいずれか一項に記載のテレビジョン受信機。
【請求項６】
更に、音声認識を用いて入力音声から所定のキーワードを検出する音声認識手段を備え、
前記回転駆動命令手段は、前記音声認識手段が所定のキーワードを検出した場合に、前記回転駆動手段に前記ディスプレイの回転を命令することを特徴とする請求項２から請求項５のいずれか一項に記載のテレビジョン受信機。
【発明の詳細な説明】
【技術分野】
【０００１】
本発明は、映像を表示するテレビジョン受信機に関し、特にディスプレイを回転させるテレビジョン受信機に関するものである。
【背景技術】
【０００２】
従来、ディスプレイを回転させて視野角の向きを調整可能なテレビジョン受信機が知られている。前記したテレビジョン受信機は、モーター等を用いてディスプレイを回転させ、特定の視聴者が視聴を行い易くする。そのため、視野角外に位置する視聴者が画面を視聴する際、リモコン装置等を用いてディスプレイの視野角を調整する。しかしながら、リモコン装置を用いてテレビジョン受信機を操作することがでない場合は、視野角外にいる人は画面を見ることはできなかった。例えば、飲食店の一角にテレビジョン受信機が配置されている場合、視野角外にいる人はスポーツ番組のゴールシーンが表示されていても映像を見ることができず、音声のみを聞くしかなった。
【０００３】
テレビジョン受信機のディスプレイ回転機能を生かすために以下の技術が開示されている。つまり、テレビジョン受信機はディスプレイ回転機能の他に、ＴＶカメラを備えている。そのため、本テレビジョン受信機は、ＴＶカメラが視聴者の視線方向を検出すると、ドライブ機能はテレビ画面の向きを視聴者の視線方向に回転させる。これにより、視聴者の視線の先にテレビジョン受信機の画面を向けさせることができる（例えば、特許文献１参照。）。
【０００４】
また、ディスプレイ回転機能を生かすために以下の技術が開示されている。つまり、テレビジョン受信機はディスプレイ回転機能の他に、２本のマイクを備えている。そのため、本テレビジョン受信機は、マイクが音声に基づいて話者の方向を検出すると、話者方向にモニタ装置の画面を向けることができる（例えば、特許文献２参照。）。
【特許文献１】特開平９−２４７５６４号
【特許文献２】特開２００３−５４３２３号
【発明の開示】
【発明が解決しようとする課題】
【０００５】
上述した特許文献１の技術は、次のような課題があった。つまり、視聴者の視線の方向を特定するために画像処理を行なう必要があり構成が複雑となってしまう。また、特定の視聴者を対象としており、不特定多数の人が出入りする場所では使用することができない。
【０００６】
また、特許文献２の技術は、次のような課題があった。つまり、不特定多数の人が歓声を上げた場合は、マイクが不特定多数の音声を受信してしまい画面を向ける方向を特定することができない。
【０００７】
本発明は、上記課題に鑑みてなされたもので、ディスプレイ回転機能を生かして、不特定多数の人が特定の場面を視聴することができるテレビジョン受信機、及び液晶テレビジョンの提供を目的とする。
【課題を解決するための手段】
【０００８】
上記課題を解決するために、本発明の請求項２にかかる発明では、放送信号を入力して映像をディスプレイに表示し音声を出力するとともに、前記ディスプレイを回転可能なテレビジョン受信機において、前記音声に含まれる音声の強さを検出する音声強度検出手段と、検出した音声の強さが所定の強さ以上であるときに前記ディスプレイを回転駆動する回転駆動手段とを備えることを特徴とするテレビジョン受信機。
【０００９】
つまり、本テレビジョン受信機は、音声強度検出手段が音声の強さが所定の強さ以上であると検出した場合は、ディスプレイ回転駆動手段がディスプレイを回転駆動する。そのため、本テレビジョン受信機は、音声が所定の強よさ以上である場合、ディスプレイを回転させて周囲にいる不特定の人々が画面を視聴することが可能となる。
【００１０】
また、本発明は、更に、特定のチャンネルの登録を受付けるとともに、該登録されたチャネルが選局された場合に、前記回転駆動手段に前記ディスプレイを回転駆動させる回転駆動命令手段を有する構成としてもよい。
つまり、予めディスプレイの回転を行なうチャンネルを登録しておくことで、登録されたチャンネルが選局された場合のみディスプレイを回転させる。これにより、ディスプレイを回転させる必要がないチャンネルの視聴時は、ディスプレイを固定させて視聴することができ、利便性を高めることができる。
【００１１】
そして、本発明では、本テレビジョン受信機は前記音声を消音する消音機能を備え、更に、検出された音声の強さが所定の強さ以上であるときに、前記消音機能を解除する消音機能解除手段を有する構成としてもよい。
つまり、消音機能解除手段は音声強度検出手段が検出した音声が所定の強度以上である場合に、消音機能を解除する。そのため、スポーツ番組のゴールシーン等のハイライトシーンが表示された場合に、消音機能を解除することで音声を出力し、視聴者の視線を本テレビジョン受信機に向けさせることができる。
【００１２】
本発明では、更に、周囲の音声の強さを検出する視聴音声検出手段を備え、前記回転駆動命令手段は、前記視聴音声検出手段が検出した周囲の音声の強さが所定の強さ以上である場合に、前記回転駆動手段にディスプレイの回転駆動を命令する構成としてもよい。
つまり、ハイライトシーンが放送されている場合は、周りの視聴者の高揚も高く歓声を上げる確率が高い。そのため、視聴者の歓声が高い場合をハイライトシーンと見なすことで、ハイライトシーンを特定する精度を高めることができる。
【００１３】
本発明では、更に、音声認識を用いて入力音声から所定のキーワードを検出する音声認識手段を備え、前記回転駆動命令手段は、前記音声認識手段が所定のキーワードを検出した場合に、前記回転駆動手段に前記ディスプレイの回転を命令する構成としてもよい。
つまり、スポーツチャンネルでゴールやシュート等のキーワードが音声認識された場合にディスプレイの回転を行なうことで、ハイライトシーンの検出をより正確に行なうことが可能となる。
【００１４】
上記課題を解決するために、請求項１に係る発明では、テレビジョン放送信号を検波するチューナー部と、検波したテレビジョン放送信号から映像信号と音声信号とを取り出すデコーダ部と、前記映像信号に基づいて映像を表示するディスプレイと、前記音声信号に基づいて音声を出力する音声出力部と、動作を制御するマイコンとを有する液晶テレビジョン本体部と、該液晶テレビジョン本体部を支持するスタンドと、前記液晶テレビジョン本体部を回転駆動可能なモーター機構とを備える液晶テレビジョンにおいて、
前記モーター機構は、前記スタンドに対して前記液晶テレビジョン本体部を所定の回転範囲内で水平方向へ回転駆動可能し、前記マイコンは、前記音声信号に基づいて前記テレビジョン放送信号からの入力音声の音量に対応した音量値を取得し、該音量値が所定のしきい値未満の場合、前記音声出力部に対して音声出力を停止させた状態にさせるとともに前記モーター機構に対して前記ディスプレイの回転駆動を停止させた状態にさせる制御を行い、前記音量値が前記しきい値以上の場合、前記音声出力部に対して音声を出力させるとともに前記モーター機構に対して前記ディスプレイを前記回転範囲内で水平方向へ回転駆動させる制御を行う構成としてもよい。
【発明の効果】
【００１５】
以上説明したように本発明によれば、ディスプレイ回転機能を生かして、不特定多数の人が特定の場面を視聴することができる。
また請求項３にかかる発明によれば、ディスプレイを回転させる必要がないチャンネルでは、ディスプレイを固定させて視聴することができ、利便性を高めることができる。
そして請求項４にかかる発明によれば、消音機能を解除することで音声を出力し、視聴者の視線を本テレビジョン受信機に向けさせることができる。
さらに請求項５にかかる発明によれば、ハイライトシーンを特定する精度を高めることができる。
また請求項６にかかる発明によれば、ハイライトシーンの検出をより正確に行なうことが可能となる。
さらに請求項１のような、より具体的な構成において、上述した請求項２〜請求項４の各発明と同様の作用を奏することはいうまでもない。
【発明を実施するための最良の形態】
【００１６】
以下、下記の順序に従って本発明の実施形態を説明する。
（１）液晶テレビジョンの構成
（２）液晶テレビジョンの作用・効果
（３）各種変形例
（４）まとめ
【００１７】
（１）液晶テレビジョンの構成 
本液晶テレビジョンは、アンテナが受信したテレビジョン放送信号を受信してディスプレイに画像を表示する。また、本液晶テレビジョンは、モーター機構（回転駆動手段）を備え、液晶テレビジョン本体部を回転させる。さらに、本液晶テレビジョンは、制御基板を中心として消音機能等の制御を実行するとともに、ディスプレイ回転プログラムにより、入力音声がしきい値以上である場合に消音機能を解除し、モーター機構にディスプレイを回転させる。
【００１８】
図１に示すように、本液晶テレビジョン１０は、液晶テレビジョン本体部１０ａとして、図示しない筐体にチューナー部１１、デコーダ部１２、制御基板１３、ディスプレイ１４、音声出力部１５とを備えている。チューナー部１１は、アンテナ２０が受信したテレビジョン放送信号からリモコン装置３０等によって選局されたチャネルに対応した周波数を検波する。デコーダ部１２は、チューナー部１１が検波したテレビジョン放送信号から映像信号と音声信号とを取り出す。制御基板１３は、映像信号と音声信号とに所定の信号処理を施し、ディスプレイ１４と音声出力部１５とに出力する。ディスプレイ１４は、入力された映像信号をディジタル／アナログ変換して映像を出力する。音声出力部１５は、入力された音声信号をディジタル／アナログ変換して音声を出力する。
【００１９】
本液晶テレビジョン１０は、モーター機構１６を備え液晶テレビジョン本体部１０ａを回転させることができる。図２に示すように液晶テレビジョン本体部１０ａは、回転部位１４ａを介してスタンド１７と接続している。モーター機構１６は、回転部位１４ａをスタンド１７に対して水平方向に回転させることで、液晶テレビジョン本体部１０ａを中心軸から矢印の方向に所定範囲で回転させる。これにより、所定範囲内に位置する視聴者に視聴させることができる。モーター機構１６はモーター１６ａとドライブ機構１６ｂから構成されており、制御基板１３により制御されている。図３は、液晶テレビジョン１０を真上から見た図である。図３に示すように、モーター１６ａの回転軸１６ａ１の回転をドライブ機構１６ｂに伝達させて回転部位１４ａを回転させる。モーター１６ａは、図示しない電源回路から供給される電源を基に回転軸１６ａ１を回転させる。ドライブ機構１６ｂは、複数の歯車が組み合わさっており、モーター１６ａの回転を回転部位１４ａに伝達する。本実施の形態では、回転部位１４ａの外周に歯が形成されておりモーター１６ａの回転を、液晶テレビジョン本体部１０ａの回転に伝達させる。
【００２０】
本液晶テレビジョンは制御基板１３を中心とした制御を行なう。制御基板１３は、制御部としてのマイコン１３ａ、メモリとしての補助記録装置１３ｂ、音声処理を行なう音声信号処理部１３ｃ、画像処理を行なう画像信号処理部１３ｄ、ＯＳＤ映像を重畳するＯＳＤ部１３ｅとを備えている。マイコン１３ａは、演算を行なうＣＰＵや主記憶装置としてのＲＡＭとを内部に備えている。補助記録装置１３ｂは、不揮発性メモリのＲＯＭや、ＨＤＤ等から成り、マイコン１３ａが実行する各種プログラムを記録する。マイコン１３ａの制御の一例として、音声出力をオフにする消音機能がある。消音機能は、リモコン装置３０を用いた命令により音声出力部１５が出力する音声レベルを低くして無音状態にするものである。
【００２１】
補助記録装置１３ｂは、ディスプレイ回転プログラム１００を記録し、音声信号の値に基づいてディスプレイを回転させる。ディスプレイ回転プログラム１００は、メニュー画面等でディスプレイ回転プログラム１００を起動するためのチャンネルを登録しておき、登録されたチャンネルが選局された場合に実行される。ここでメニュー画面はＯＳＤ部１２ｅが生成し、画像処理部１３ｄが信号処理した映像に重畳させて表示する。ディスプレイ回転プログラム１００によりマイコン１３ａは、入力音声が第一のしきい値以上である回数を検出するとともに、マイコン１３ａが検出した回数が第二のしきい値以上である場合に、消音機能を解除し、モーター機構１６に液晶テレビジョン本体部１０ａの回転を命令する。これによりマイコン１３ａと補助記録装置１３ｂとは音声強度検出手段と回転駆動命令手段とを構成する。
【００２２】
図４は、ディスプレイ回転プログラム１００により、マイコン１３ａが実行するフローチャートである。まず、登録されたチャンネルが選局されると、マイコン１３ａは、補助記録装置１３ｂからディスプレイ回転プログラム１００を読み出す。さらに、マイコン１３ａは、ディスプレイ回転プログラム１００に基づいて、デコーダ部１２が復調した音声信号に基づいた入力音声の値を検出する（ステップＳ１００）。図５に示すように、マイコン１３ａが入力音声の値を検出する方法は、所定周期Ｆで入力音声が第一のしきい値Ｔ１を超えた回数Ｎを検出するものである。次に、マイコン１３ａは、入力音声が第一のしきい値Ｔ１を超えた回数をしきい値Ｔ２と比較する。（ステップＳ１１０）。なお、しきい値Ｔ２は、メニュー画面上で設定することができる。次に、液晶テレビジョン１０が消音機能を実行している場合は、消音機能をオフにする（ステップＳ１２０）。これによりマイコン１３ａは消音機能解除手段を実現する。そして、マイコン１３ａはモーター機構１６を駆動するよう命令する（ステップＳ１３０）。具体的には、電源回路にモーター１６ａに電源を供給するよう命令する。これにより液晶テレビジョン本体部１０ａの回転が実行される。
【００２３】
その後、マイコン１３ａは、液晶テレビジョン本体部１０ａの回転機能を停止する条件を検出したら（ステップＳ１４０）、モーター機構１６の駆動を停止するよう命令する（Ｓ１５０）。液晶テレビジョン本体部１０ａの回転機能を停止する条件は、入力音声がしきい値Ｔ１を超える回数がしきい値Ｔ２を下回った場合であってもよいし、モーター機構を駆動させてから一定の時間が経過した場合であってもよい。さらに、ステップＳ１１０で消音機能をオフにした場合は、消音機能をオンにする（ステップＳ１６０）。
【００２４】
（２）液晶テレビジョンの作用・効果
本液晶テレビジョン１０はディスプレイ回転機能を生かして、不特定多数の人が画面に表示された特定の場面を視聴することができる。例えば、本液晶テレビジョン１０を不特定多数の人が出入りする空間の一角に配置し、スポーツチャンネル等を放送する。このとき、得点シーンが表示され、画面上で入力音声が一定値以上になった場合、液晶テレビジョン１０はモーター機構１６を駆動させて液晶テレビジョン本体部１０ａを回転させる。また、消音機能を設定している場合は消音機能を解除する。これにより、液晶テレビジョン１０は可動範囲内で回転しディスプレイ１４に表示された映像を多数の人にも視聴させることができる。
【００２５】
（３）各種変形例
本液晶テレビジョンは、各種の変形例が存在する。
入力音声の検出をしきい値Ｔ１を超えた周期の長さにより検出するものであってもよい。図６に示すように、マイコン１３ａは、入力音声がしきい値Ｔ１を超えた累積時間を基に視野角の回転を行なう。つまり、マイコン１３ａにより検出された入力音声がしきい値Ｔ１を超えた時間Ｆ２がしきい値Ｔ３以上であれば、マイコン１３ａは入力音声が所定の値以上であると見なす。時間Ｆ２の算出方法としては、周期Ｆでしきい値Ｔ１を越した積算時間としてもよい。ここで、時間Ｔ２は事前にメニュー画面等で登録されることとなる。
【００２６】
また、液晶テレビジョンの周囲にいる人々の音声をマイクで検出し、検出された値に応じて液晶テレビジョン本体部１０ａを回転させてもよい。スポーツチャンネル等で視聴者が歓声を上げるシーンは得点シーン等である場合が多いため、視聴者が歓声を上げている場合は、液晶テレビジョン１０は視野角外にいる人々にもチャンネルを視聴できるよう液晶テレビジョン本体部１０ａを回転させる。図７に示すように、液晶テレビジョン１０は、着脱可能なマイク１８を備えている。マイク１８から入力された音声信号は、音声処理部１３ｃを介してマイコン１３ａに入力される。マイコン１３ａは、音声信号の値がしきい値Ｔ４以上である場合は、周囲の視聴者が歓声を上げていると見なし、モーター機構１６を駆動させる。これによりマイコン１３ａおよびマイク１８とで視聴音声検出手段を実現する。
【００２７】
さらに、音声認識により入力音声から特定のキーワードを検出し、検出されたキーワードにより液晶テレビジョン本体部１０ａを回転させてもよい。図８に示すように、液晶テレビジョン１０は、補助記録装置１３ｂに音声認識プログラム２００を記録している。音声認識プログラム２００は、入力音声の中から特定のキーワードをマイコン１３ａに音声認識させる。つまり、「ゴール」や「シュート」等のキーワードを登録しておき、入力音声から登録したキーワードを音声認識した場合は、マイコン１３ａはモーター機構１６を駆動させるよう命令する。これによりマイコン１３ａおよび補助記録装置１３ｂとは音声認識手段を実現する。
【００２８】
（４）まとめ
本液晶テレビジョン１０は、アンテナ２０が受信したテレビジョン放送信号を受信して画像を表示する。また、本液晶テレビジョン１０はモーター機構１６を備え、液晶テレビジョン本体部１０ａを回転させる。さらに、本液晶テレビジョン１０は、制御部を中心として消音機能等の制御を実行するとともに、ディスプレイ回転プログラム１００により、入力音声がしきい値以上である場合に消音機能を解除し、モーター機構１６に液晶テレビジョン本体部１０ａを回転させる。
【００２９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３０】
【図１】液晶テレビジョンのブロック構成図である。
【図２】液晶テレビジョンを示す斜視図である。
【図３】液晶テレビジョンの内部を示す上面図である。
【図４】マイコンが実行するフローチャートである。
【図５】入力音声としきい値との関係を表す図である。
【図６】入力音声としきい値との関係を表す図である。
【図７】液晶テレビジョンのブロック構成図である。
【図８】液晶テレビジョンのブロック構成図である。
【符号の説明】
【００３１】
１０…液晶テレビジョン、１０ａ…液晶テレビジョン本体部、１１…チューナー部、１２…デコーダ部、１３…制御基板、１３ａ…マイコン、１３ｂ…補助記録装置、１３ｃ…音声処理部、１３ｄ…画像信号処理部、１３ｅ…ＯＳＤ部、１４…ディスプレイ、１４ａ…回転部位、１５…音声出力部、１６…モーター機構、１６ａ…モーター、１６ａ１…回転軸、１６ｂ…ドライブ機構、１７…スタンド、１８…マイク、２０…アンテナ、３０…リモコン装置、１００…ディスプレイ回転プログラム、２００…音声認識プログラム
【図１】
2008258748.tif 000003
【図２】
2008258748.tif 000004
【図３】
2008258748.tif 000005
【図４】
2008258748.tif 000006
【図５】
2008258748.tif 000007
【図６】
2008258748.tif 000008
【図７】
2008258748.tif 000009
【図８】
2008258748.tif 000010